(57)【要約】無線基地システム（１０００）は、複数の移動端末装置に対してパス多重接続して信号の送受信を行なう。制御部（８０）は、複数の移動端末装置のうちの１つの移動端末装置から、通信チャネルの確立要求がされた場合、複数のスロットごとに既に接続されている移動端末装置の有無を探索し、チャネル確立要求を発した移動端末装置に対してパス多重によりチャネル割当てを行なう必要があるときは、エラー検出部（５６）の検出結果に応じて、チャネル確立を許可する。
2002062095.tif 000002
【特許請求の範囲】
【請求項１】
各々が複数スロットに時分割多重された複数のパスを介して、複数の移動端末装置に対してパス多重接続して信号の送受信を行なう無線基地システム（１０００）であって、
前記複数の移動端末装置に対してパス多重接続を行なうためのアダプティブアレイ処理を行なう信号調整手段（５１）と、
前記複数のスロットのそれぞれに接続されている移動端末装置からの信号のエラーを検知するためのエラー検出手段（５６）と、
前記複数の移動端末装置のうちの１つの移動端末装置から、通信チャネルの確立要求がされた場合、前記複数のスロットごとに既に接続されている移動端末装置の有無を探索し、前記１つの移動端末装置に対してパス多重によりチャネル割当てを行なう必要があるときは、前記エラー検出手段の検出結果に応じて、チャネル確立を許可する制御手段（８０）とを備える、無線基地システム。
【請求項２】
前記信号は、誤り検出のための符号を含み、
前記エラー検出手段は、前記誤り検出符号に基づいて前記信号のエラー検知を行なう、請求項１記載の無線基地システム。
【請求項３】
前記信号は、前記信号調整部が前記アダプティブアレイ処理を行なうための参照信号を含み、
前記エラー検出手段は、前記参照信号の検出エラーに基づいて前記信号のエラー検知を行なう、請求項１記載の無線基地システム。
【請求項４】
前記信号は、所定数の前記スロットを各々が有する複数のフレームを含み、
前記エラー検出手段は、前記フレーム当たりの前記誤り検出符号に基づくエラー数により前記信号のエラー検知を行なう、請求項２記載の無線基地システム。
【請求項５】
各々が複数スロットに時分割多重された複数のパスを介して、複数の移動端末装置に対してパス多重接続して信号の送受信を行なう無線基地システムにおけるチャネル割当て方法であって、
前記複数のスロットのそれぞれに接続されている移動端末装置からの信号のエラーを検知するステップと、
前記複数の移動端末装置のうちの１つの移動端末装置から、通信チャネルの確立要求がされた場合、前記複数のスロットごとに既に接続されている移動端末装置の有無を探索するステップと、
前記１つの移動端末装置に対してパス多重によりチャネル割当てを行なう必要があるときは、検知された前記エラーに応じて、チャネル確立を許可するステップとを備える、チャネル割当方法。
【請求項６】
前記信号は、誤り検出のための符号を含み、
前記エラーを検知するステップは、前記誤り検出符号に基づいて前記信号のエラー検知を行なうステップを含む、請求項５記載のチャネル割当方法。。
【請求項７】
前記信号は、前記複数の移動端末装置に対して前記パス多重接続を行なうためのアダプティブアレイ処理を行なうための参照信号を含み、
前記エラーを検知するステップは、前記参照信号の検出エラーに基づいて前記信号のエラー検知を行なうステップを含む、請求項５記載のチャネル割当方法。。
【請求項８】
前記信号は、所定数の前記スロットを各々が有する複数のフレームを含み、
前記エラーを検知するステップは、前記フレーム当たりの前記誤り検出符号に基づくエラー数により前記信号のエラー検知を行なうステップを含む、請求項６記載のチャネル割当方法。。
【請求項９】
各々が複数スロットに時分割多重された複数のパスを介して、複数の移動端末装置に対してパス多重接続して信号の送受信を行なう無線基地システムにおけるチャネル割当てを行うコンピュータのためのプログラムであって、
前記複数のスロットのそれぞれに接続されている移動端末装置からの信号のエラーを検知するステップと、
前記複数の移動端末装置のうちの１つの移動端末装置から、通信チャネルの確立要求がされた場合、前記複数のスロットごとに既に接続されている移動端末装置の有無を探索するステップと、
前記１つの移動端末装置に対してパス多重によりチャネル割当てを行なう必要があるときは、検知された前記エラーに応じて、チャネル確立を許可するステップとを実行させるためのプログラム。
【請求項１０】
前記信号は、誤り検出のための符号を含み、
前記エラーを検知するステップは、前記誤り検出符号に基づいて前記信号のエラー検知を行なうステップを含む、請求項９記載のプログラム。
【請求項１１】
前記信号は、前記複数の移動端末装置に対して前記パス多重接続を行なうためのアダプティブアレイ処理を行なうための参照信号を含み、
前記エラーを検知するステップは、前記参照信号の検出エラーに基づいて前記信号のエラー検知を行なうステップを含む、請求項９記載のプログラム。
【請求項１２】
前記信号は、所定数の前記スロットを各々が有する複数のフレームを含み、
前記エラーを検知するステップは、前記フレーム当たりの前記誤り検出符号に基づくエラー数により前記信号のエラー検知を行なうステップを含む、請求項１０記載のプログラム。
【発明の詳細な説明】
技術分野
本発明は、無線基地システムおよびチャネル割当方法に関し、より特定的には、移動体通信システムにおいて複数の移動端末装置がパス多重接続することができる無線基地システムおよびこのような無線基地システムにおいて移動端末装置からのチャネル割当要求に対するチャネル割当方法ならびにチャネル割り当てプログラムに関する。
背景技術
近年、急速に発達しつつある移動体通信システム（たとえば、Ｐｅｒｓｏｎａｌ  Ｈａｎｄｙｐｈｏｎｅ  Ｓｙｓｔｅｍ：以下、ＰＨＳ）では、電波の周波数利用効率を高めるために、同一周波数の同一タイムスロットを空間的に分割することにより複数ユーザの移動端末装置を無線基地システムにパス多重接続させることができるＰＤＭＡ（Ｐａｔｈ  Ｄｉｖｉｓｉｏｎ  Ｍｕｌｔｉｐｌｅ  Ａｃｃｅｓｓ）方式が提案されている。
図６は、周波数分割多重接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ），時分割多重接続（Ｔｉｍｅ  Ｄｉｖｉｓｉｏｎ  Ｍｕｌｔｉｐｌｅ  Ａｃｃｅｓｓ：ＴＤＭＡ）および空間分割多重接続（ＰＤＭＡ）の各種の通信システムにおけるチャネルの配置図である。
図６を参照して、ＦＤＭＡ，ＴＤＭＡおよびＰＤＭＡについて簡単に説明する。図６（ａ）はＦＤＭＡを示す図であって、異なる周波数ｆ１〜ｆ４の電波でユーザ１〜４のアナログ信号が周波数分割されて伝送され、各ユーザ１〜４の信号は周波数フィルタによって分離される。
図６（ｂ）に示すＴＤＭＡにおいては、各ユーザのデジタル化された信号が、異なる周波数ｆ１〜ｆ４の電波で、かつ一定の時間（タイムスロット）ごとに時分割されて伝送され、各ユーザの信号は周波数フィルタと基地局および各ユーザ移動端末装置間の時間同期とにより分離される。
一方、ＰＤＭＡ方式は、図６（ｃ）に示すように、同じ周波数における１つのタイムスロットを空間的にも分割して複数のユーザのデータを伝送するものである。なお、図６（ｃ）に示したようなパス多重数や時分割多重数は、あくまでも例示であって、システムの構成に応じて、これらの値は変更されるものである。
すなわち、ＰＤＭＡ方式（空間多重接続方式）とは、送受信ともに指向性を有するアダプティブアレイ装置を用いて、異なる方向にある複数の移動端末装置のそれぞれに対して指向性パターンを形成することにより、同時刻において１つの周波数の搬送波を用いて多重して通信する方式である。
アダプティブアレイ装置は、固定的に設置された複数のアンテナから構成され、個々のアンテナの送受信信号の振幅と位相とを調整することにより、複数本アンテナ全体としての指向性が形成されるという特徴を有する。
複数の移動端末装置を空間的多重により接続する無線基地局は、アダプティブアレイ装置を用いて構成される。この無線基地局は、複数の移動端末装置の通信が多重された受信信号から個々の移動局の信号を分離するため、各移動端末装置についてアンテナごとの受信信号に対する振幅と位相との調整量である重み係数を算出する。
無線基地局は、アンテナごとの受信信号にアンテナごとの重み係数を乗じて加算した信号と参照信号とを比較し、両者の差が最小になるよう重み係数を調整する。この参照信号（ユニークワード信号：ＵＷ信号）としては、制御チャネルまたは通信チャネルの信号に含まれる基地の固定ビットパターンの部分に相当する信号波形データが用いられる。
この調整を繰返し行なって、無線基地局は、空間多重の対象となっている各移動端末装置について、アンテナごとに重み係数を算出し、複数の移動局の信号が多重されたアンテナごとの受信信号に重み係数を乗じて加算することにより、各移動局の信号を分離する。送信時には、受信時に算出された重み係数を、送信信号に対してアンテナごとに乗じた信号を各アンテナから送信することにより、当該移動端末装置方向に対して指向性パターンを形成する。
なお、空間多重技術については、「パス分割多元接続（ＰＤＭＡ）移動通信方式」（信学技報ＲＣＳ９３−８４（１９９４−０１），ｐｐ３７−４４）に記載されている。
ところで、無線基地局は、既に通信中の移動端末装置と、新たに通信チャネルの割当要求を受けた他の移動端末装置とについて、空間多重による通信の適否を次のようにして判断する。
無線基地局は、上述したような２つの移動端末装置について応答ベクトルを計算し、計算した２個の応答ベクトル間の相関値を算出する。ここで、応答ベクトルとは、移動局が存在する方向に関する情報であり、応答ベクトルの相関値は、２つの移動局が存在する方向の近さを示す指標である。
算出した相関値がしきい値よりも大きい場合には、両者がほぼ同じ方向に存在するため、指向性パターンの差異によって両者の信号を分離することは不可能である。この場合には、無線基地局は、両者を空間多重不適と判断する。
また、無線基地局は、上述したような２つの移動端末装置からの信号の電界強度を測定し、測定した２個の電界強度の比を算出する。算出した電界強度比がしきい値よりも大きい場合には、指向性パターンを最善に形成しても、両者の信号の強度比がアダプティブアレイ装置の利得比を上回るため、両者の信号を適切に分離できないと考えられる。この場合には、無線基地局は、両者を空間多重不適と判断する。
複数の移動端末装置を、さらに時分割多重方式を併用して接続する無線基地局は、新たな移動端末装置に対して通信チャネルを割当てる際、時分割多重通信に用いられるタイムスロットに空きがない場合には、上述した空間多重の適判断をタイムスロットごとに行ない、新たな移動局との間で空間多重不適と判断される移動局が使用していないタイムスロットにおいて、空間多重により通信チャネルを割当てる。
このようにして、無線基地局は、空間多重通信に適した移動端末装置の組合せによってのみ空間多重を行ない、さらに空間多重している間はアダプティブアレイ装置の指向性パターンを各移動端末装置が存在する方向に追従させることにより、混信を防ぎ、適切な通信品質を保つ。
上述したような方法によれば、無線基地局は、新たな移動局に対して空間多重により通信チャネルを割当てる際に、新たな移動端末装置と既に通信中の移動端末装置との応答ベクトルの相関値、あるいは、新たな移動端末装置から受信した信号の電界強度と既に通信中の移動端末装置から受信した信号の電界強度比との比を、それぞれのしきい値と比較することにより空間多重の適否を判断している。このような空間多重の適否を判断する方法としては、他に、ＤＤＲ（２人のユーザからの所望波の強度比）しきい値、受信タイミング差等の値を使用することも可能である。
しかしながら、新規多重を行なうためのスロット内で既に通話中のユーザにおいて、受信エラーが発生している場合、無線基地局のアダプティブアレイ処理において作成されるウェイトベクトルの精度が十分得られないことが予想される。したがって、このような状態でアダプティブアレイの指向性制御が十分でない場合、干渉除去能力が低下しており、結果として多重通信に必要な利得を得ることができず、基地局からの下り通信の特性が劣化してしまうという問題点があった。
この発明は、上記のような問題点を解決するためになされたものであって、その目的は、空間多重の適否判断の精度を向上し、無線基地局と移動端末装置との間において、一定の通信品質を保証することが可能な無線基地局システム、チャネル割当方法およびチャネル割当プログラムを提供することである。
発明の開示
この発明によれば、各々が複数スロットに時分割多重された複数のパスを介して、複数の移動端末装置に対してパス多重接続して信号の送受信を行なう無線基地システムは、複数の移動端末装置に対してパス多重接続を行なうためのアダプティブアレイ処理を行なう信号調整手段と、複数のスロットのそれぞれに接続されている移動端末装置からの信号のエラーを検知するためのエラー検出手段と、複数の移動端末装置のうちの１つの移動端末装置から、通信チャネルの確立要求がされた場合、複数のスロットごとに既に接続されている移動端末装置の有無を探索し、１つの移動端末装置に対してパス多重によりチャネル割当てを行なう必要があるときは、エラー検出手段の検出結果に応じて、チャネル確立を許可する制御手段とを備える。
好ましくは、信号は、誤り検出のための符号を含み、エラー検出手段は、誤り検出符号に基づいて信号のエラー検知を行なう。
好ましくは、信号は、信号調整部がアダプティブアレイ処理を行なうための参照信号を含み、エラー検出手段は、参照信号の検出エラーに基づいて信号のエラー検知を行なう。
より好ましくは、信号は、所定数のスロットを各々が有する複数のフレームを含み、エラー検出手段は、フレーム当たりの誤り検出符号に基づくエラー数により信号のエラー検知を行なう。
この発明の他の局面によれば、各々が複数スロットに時分割多重された複数のパスを介して、複数の移動端末装置に対してパス多重接続して信号の送受信を行なう無線基地システムにおけるチャネル割当て方法は、複数のスロットのそれぞれに接続されている移動端末装置からの信号のエラーを検知するステップと、複数の移動端末装置のうちの１つの移動端末装置から、通信チャネルの確立要求がされた場合、複数のスロットごとに既に接続されている移動端末装置の有無を探索するステップと、１つの移動端末装置に対してパス多重によりチャネル割当てを行なう必要があるときは、検知されたエラーに応じて、チャネル確立を許可するステップとを備える。
この発明のさらに他の曲面に従うと、各々が複数スロットに時分割多重された複数のパスを介して、複数の移動端末装置に対してパス多重接続して信号の送受信を行なう無線基地システムにおけるチャネル割当てを行うコンピュータのためのプログラムであって、複数のスロットのそれぞれに接続されている移動端末装置からの信号のエラーを検知するステップと、複数の移動端末装置のうちの１つの移動端末装置から、通信チャネルの確立要求がされた場合、複数のスロットごとに既に接続されている移動端末装置の有無を探索するステップと、１つの移動端末装置に対してパス多重によりチャネル割当てを行なう必要があるときは、検知されたエラーに応じて、チャネル確立を許可するステップとを実行させる。
したがって、この発明の主たる利点は、新規多重を行なうためのスロット内で既に通話中のユーザにおいて、受信エラーが発生している場合、新規チャネルの割当てを拒否するので、空間多重の適否判断の精度を向上させ、無線基地局と移動端末装置との間において、一定の通信品質を保証することが可能である。
発明を実施するための最良の形態
図１は、本発明に係る無線基地システム１０００の構成を説明するための概略ブロック図である。
無線基地システム１０００は、ＰＨＳ規格で定められた時分割多重方式（ＴＤＭＡ／ＴＤＤ）により移動端末装置（以下、移動局と呼ぶ）と無線接続し、上述したような時分割多重に加えて、さらに空間多重を行なって移動局と通信する。
［無線基地システム１０００の構成］
無線基地システム１０００は、図１に示すように、アンテナ部１１〜１４、無線部２１〜２４、信号処理部５０、モデム部６０、ベースバンド部７０、制御部８０および情報記憶部９０から構成される。以下各部の構成についてさらに詳しく説明する。
（１）  ベースバンド部７０
ベースバンド部７０は、ＩＳＤＮ回線を介して、交換器と接続されている。
ベースバンド部７０は、ＩＳＤＮ回線を介して、パケットデータを受信し、受信したパケットデータからトラフィック情報を抜き出し、ＴＤＭＡ変調処理および空間多重処理を行なって、複数個のチャネルを介して、抜き出したトラフィック情報を複数個のベースバンド信号に分解し、モデム部６０へ出力する。
ここで、上記ＴＤＭＡ変調処理は、ＰＨＳ規格に従って１個のＴＤＭＡ／ＴＤＤフレーム内に４個のチャネルを時分割多重する。このＴＤＭＡ／ＴＤＤフレームは、４個の送信タイムスロットと、４個の受信タイムスロットから構成される。１個の送信タイムスロットと１個の受信タイムスロットの組は、時分割多重による１個のチャネルを構成する。さらに、上述したような空間多重処理は、各タイムスロットの組において最大４個のチャネルを空間多重する。したがって、ＴＤＭＡ変調処理および空間多重処理により、１個のＴＤＭＡ／ＴＤＤフレーム内に最大１６個のチャネルが多重化される。
また、ベースバンド部７０は、１個のＴＤＭＡ／ＴＤＤフレーム内の最大１６個のチャネルを介して、モデム部６０から複数のベースバンド信号を受取り、このベースバンド信号からパケットデータを生成して、パケットデータをＩＳＤＮ回線を介して出力する。
（２）  モデム部６０
モデム部６０は、信号処理部５０からπ／４シフトＱＰＳＫにより変調された信号を受取り、変調されたベースバンド信号を復調して、生成したベースバンド信号をベースバンド部７０へ出力する。
また、モデム部６０は、ベースバンド部７０からベースバンド信号を受取り、受取ったベースバンド信号をπ／４シフトＱＰＳＫにより変調し、変調された信号を信号処理部５０へ出力する。
なお、モデム部６０は、１個の時分割チャネルにおいては、空間多重される最大４つのＴＤＭＡ／ＴＤＤフレームについて、上述したような変調および復調動作を並列して行なう。
（３）  情報記憶部９０
情報記憶部９０は、後に説明するような受信エラーに対するしきい値を記憶している。
（４）  信号処理部５０
信号処理部５０は、信号調整部５１、応答ベクトル算出部５３、ＲＳＳＩ検出部５４および受信タイミング検出部５５から構成され、具体的にはプログラマブルなデジタルシングルプロセッサ（以下、ＤＳＰ）により実現される。
（信号調整部５１）
信号調整部５１は、無線部２１〜２４から信号を受取り、各ＴＤＭＡ／ＴＤＤフレーム内の４個の受信タイムスロットにおいて、受信する信号の内容が予めわかっている部分については、参照信号との誤差が最小になるように、移動局ごとに重み係数を算出し、算出した重み係数に従って無線部２１〜２４から受取った各信号の振幅と位相とを移動局ごとに調整して加算する。
これにより、無線部２１〜２４から受取った空間多重された信号から移動局ごとの信号を分離し、モデム部６０へ出力する。
また、モデム部６０から移動局ごとに受取った信号に対し、上述したような重み係数をアンテナごとに乗じた信号を無線部２１〜２４へ出力する。
これにより、信号が所望の移動局のみへ送信されるように指向性パターンを形成する。すなわち、信号調整部５１が上述したようなアダプティブアレイ装置としての処理を行なう。
（ＲＳＳＩ検出部５４）
ＲＳＳＩ検出部５４は、各ＴＤＭＡ／ＴＤＤフレーム内のタイムスロットごとに、当該タイムスロットにおいて無線部２１〜２４が受信した移動局の電界強度を検出し、既に通信チャネルを割当てられ通信を行なっている移動局については、情報記憶部９０に書込む。また、ＲＳＳＩ検出部５４は、新たに通信チャネルの割当を要求した移動局について、検出した電界強度を制御部８０へ出力する。
なお、特に限定されないが、たとえばＲＳＳＩ検出部５４は、移動局から通信チャネルの割当要求があったときに、上述したような電界強度の検出を行なうものとする。
（応答ベクトル算出部５３）
応答ベクトル算出部５３は、各ＴＤＭＡ／ＴＤＤフレーム内のタイムスロットごとに、無線部２１〜２４から受取った信号と信号調整部５１により調整された信号とに基づいて、当該タイムスロットにおいて通信している移動局の方向情報を含む応答ベクトルを算出する。
ここで、応答ベクトルについて簡単に説明する。以下では、説明を簡単にするために、４本のアンテナ素子により、同時に通信するユーザ数を２人とする。このとき、各アンテナから受信される信号は、以下のような式で表わされる。
2002062095.tif 000003
ここで、信号ＲＸｊ（ｔ）は、ｊ番目（ｊ＝１，２，３，４）のアンテナの受信信号を示し、信号Ｓｒｘｉ（ｔ）は、ｉ番目（ｉ＝１，２）のユーザが送信した信号を示す。
さらに、係数ｈｊｉは、ｊ番目のアンテナに受信された、ｉ番目のユーザからの信号の複素係数を示し、ｎｊ（ｔ）は、ｊ番目の受信信号に含まれる雑音を示している。
上の式（１）〜（４）をベクトル形式で表記すると、以下のようになる。
2002062095.tif 000004
なお式（６）〜（８）において、［…］Ｔは、［…］の転置を示す。
ここで、Ｘ（ｔ）は入力信号ベクトル、Ｈｉはｉ番目のユーザの受信応答ベクトル、Ｎ（ｔ）は雑音ベクトルをそれぞれ示している。
アダプティブアレイが適切に制御されていれば、２人のユーザのうちの第１番目のユーザが送信した信号Ｓｒｘ１（ｔ）が得られる。
逆に、このようにして、第１番目のユーザが送信した信号Ｓｒｘ１（ｔ）が得られるようにアダプティブアレイが制御されていれば、原理的には、入力信号ベクトルＸ（ｔ）と信号Ｓｒｘ１（ｔ）との相関をとれば、式（５）により、１番目のユーザの受信応答ベクトルＨ１を求めることができる。２番目のユーザについても同様である。
応答ベクトル算出部５３は、既に通信チャネルを割当てられ、通信を行なっている移動局について算出した応答ベクトルを、情報記憶部９０に書込む。新たに通信チャネルの割当を要求した移動局についても、算出した応答ベクトルを制御部８０に対して出力する。
（受信タイミング検出部５５）
受信タイミング検出部５５は、各ＴＤＭＡ／ＴＤＤフレーム内のタイムスロットごとに、信号調整部５１から移動局ごとに分離された信号を取得し、当該タイムスロットにおいて通信している移動局について、タイムスロットの始点を基準として、ユニークワード信号（ＵＷ信号）が受信される時刻を測定する。
受信タイミング検出部５５は、タイムスロットの始点を基準として、上述したようなＵＷ信号が受信されたと判断された期間の開始時刻を、各移動局に関する受信タイミングとする。受信タイミング検出部５５は、既に通信チャネルを割当てられ通信を行なっている移動局について、測定した受信タイミングを、情報記憶部９０内に書込む。また、新たに通信チャネルの割当を要求した移動局については、測定した受信タイミングを制御部８０へ出力する。
（エラー検出部５６）
エラー検出部５６は、後に説明するように、受信信号中のエラーを検出して、制御部８０に与える。制御部８０は、エラー検出部５６からのエラー情報と、情報記憶部９０中に記憶されたしきい値との比較を行ない、新規のチャネル割り当てを行うか否かを決定する。
（５）  制御部８０
制御部８０は、具体的には、マイクロプロセッサ、コンピュータプログラムの記録されているＲＯＭおよび作業用に用いられるＲＡＭなどから構成され、マイクロプロセッサがＲＯＭに記録されているプログラムを実行することによりその機能を達成する。
図２は、本発明において、移動端末装置とＰＤＭＡ無線基地システム１０００との間で授受される信号の構成を説明するための概念図である。
１フレームの信号は８スロットに分割され、前半の４スロットがたとえば受信用であり後半の４スロットがたとえば送信用である。
各スロットは１２０シンボルから構成され、図２に示した例では、１つの受信用および１つの送信用のスロットを１組として最大で４ユーザに対して１フレームの信号を割当てられている。
また、各フレームについては、上述したユニークワード信号（参照信号）区間を含み、巡回符号による誤り検出（ＣＲＣ：ｃｙｃｌｉｃ  ｒｅｄｕｎｄａｎｃｙ  ｃｈｅｃｋ）が可能な構成となっているものとする。
さらに、同一タイムスロットに複数のユーザの移動端末装置がパス多重接続している場合において、それぞれの移動端末装置からの受信信号の受信タイミングをずらすことで各ユーザを識別するために、基地局１０００から各端末に対しての送信タイミングが、基準となる送信タイミングからずらされているものとする。
ＰＨＳでは、各移動端末装置からの受信信号は、各フレームごとにすべてのユーザに共通の既知のビット列からなる参照信号（ユニークワード信号：ＵＷ信号）区間を含んでおり、伝送路の状態によって、複数ユーザの移動端末装置からの受信信号の同期位置が一致するようなことになれば、受信信号の参照信号区間が重なってユーザ同士を識別分離することができなくなり、ユーザ間の混信（いわゆるＳＷＡＰ）を引き起こすこととなる。
（エラー検出部５６の動作）
図２において説明したとおり、同一タイムスロットに複数のユーザの移動端末装置がパス多重接続している場合において、各ユーザを識別するために、それぞれの移動端末装置からの受信信号の受信タイミングは、正常な受信中ではたとえば、時間Δｔだけずれている。
図３は、このような２人のユーザからの信号ＰＳ１と信号ＰＳ２の受信タイミングを示す概念図である。
図３に示すように、たとえば、ユーザの割り込みによるスワップが発生すると、端末ＰＳ２は、端末ＰＳ１向けの信号を自分への信号と誤認してしまうために、端末ＰＳ２は、端末ＰＳ１が送信するべきタイミングで上り信号を送出することになる。このため、端末ＰＳ１からの受信信号と端末ＰＳ２からの受信信号に、受信タイミングのずれがなくなってしまう。
このようなスワップの発生した状態では、基地局１０００からみると割り込んだユーザＰＳ２がいなくなったように見えるために、ユーザＰＳ２については、参照信号エラー（ＵＷエラー）が発生する。
一方、割り込まれたユーザＰＳ１の方では、ユニークワード信号は信号ＰＳ１と信号ＰＳ２で一致するために、ＵＷエラーは発生しないものの、情報データ（音声信号等）については、信号ＰＳ１と信号ＰＳ２とが互いに異なるために、ユーザＰＳ１の信号について受信エラー（ＣＲＣエラー）が頻発するようになる。
また、このようなスワップに限らず、伝送路の通信品質が悪くなれば、やはり、ＣＲＣエラーが頻発するようになる。
エラー検出部５６は、このようなエラーを検出することにより、アダプティブアレイの指向性制御が十分でなく、干渉除去能力が低下しているといえるかについての情報を提供する。
また、エラー検出部５６は、ＣＲＣエラーの検出に基づいて、受信信号のフレーム内のエラー数（ＦＥＲ：Ｆｒａｍｅ  Ｅｒｒｏｒ  Ｒａｔｅ）をカウントする。
［リンクチャネル確立時の処理］
制御部８０は、移動局からリンクチャネル確立要求またはリンクチャネル確立再要求を受信した場合に、次に示すようにしてリンクチャネル確立時の処理を行なう。
制御部８０は、ＴＤＭＡ／ＴＤＤフレームのタイムスロットを順次調べ、当該タイムスロットにおいて既に通信中である他の移動局がなければ、当該タイムスロットにおいて通信チャネルを割当てる。
他の移動局が通信を行なっている場合は、制御部８０は、以下に示す多重判定処理を行ない、当該処理により多重化と判定された場合には、当該タイムスロットにおいて空間多重における通信チャネルを割当てる。
一方、多重不可と判定された場合には、他のタイムスロットにおいて判定を繰返し、すべてのタイムスロットにおいて多重不可と判定された場合に、通信チャネルの割当を拒否する。
（多重判定処理）
制御部８０は、多重判定処理により、各タイムスロットにおいて新規に通信チャネルを割当てようとする移動局と、既に通信チャネルを割当てられ通信を行なっている移動局との空間多重の可否を、次のようにして判定する。
まず、制御部８０は、新たに通信チャネルを割当てようとする移動局の応答ベクトルを応答ベクトル算出部５３から受取り、既に通信チャネルを割当てられ通信を行なっている移動局の応答ベクトルを情報記憶部９０から読出す。制御部８０は、このようにして、２つの移動局の応答ベクトル間の相関値を算出する。
さらに、制御部８０は、新たに通信チャネルを割当てようとする移動局の電界強度をＲＳＳＩ検出部５４から受取り、既に通信チャネルを割当てられ通信を行なっている移動局の電界強度を情報記憶部９０から読出す。これにより、制御部８０は、２つの移動局間の電界強度比を算出する。
なお、制御部８０が、新たに通信チャネルを割当てようとする移動局の受信タイミングを受信タイミング検出部５５から受取り、既存の移動局の受信タイミングを情報記憶部９０から受取って、両者の受信タイミング差に基づいて、空間多重を行なうか否かを決定する判断をさらに行なってもよい。
以上のような空間多重の可能性の判定のための応答ベクトル算出、受信タイミング検出、電界強度測定の他に、本発明においては、以下に説明するような、エラーの発生状況に基づいて、新規チャネルの割当てを行なうかを判定する。
［無線基地システム１０００の動作］
図４は、リンクチャネル確立時の動作を示すフローチャートである。
無線基地システム１０００は、移動局からリンクチャネル確立要求を受信し、また無線基地システム１０００が移動局からリンクチャネル確立再要求を受信した場合は（ステップＳ１００）、応答ベクトル算出部５３は応答ベクトルを算出し（ステップＳ１０２）、受信タイミング検出部５５は受信タイミングを検出し（ステップＳ１０４）、ＲＳＳＩ検出部５４は電界強度を測定する（ステップＳ１０６）。
制御部８０は、ＴＤＭＡ／ＴＤＤフレームのタイムスロットを順次１つずつ選び（ステップＳ１０８）、当該タイムスロットにおいては、既に通信を行なっている移動局が存在するか否かを判断する（ステップＳ１１０）。
通信中の移動局が存在しなければ、通信チャネルを要求した移動局に対して通信チャネルを割当てる（ステップＳ１２２）。
既に通信中の移動局があれば、制御部８０は、多重判定処理を行なう（ステップＳ１１２）。この多重判定処理においては、制御部８０は、新たな移動端末装置と既に通信中の移動端末装置との応答ベクトルの相関値、新たな移動端末装置と既に通信中の移動端末装置との受信タイミング差、ならびに新たな移動端末装置から受信した信号の電界強度と既に通信中の移動端末装置から受信した信号の電界強度比との比を、それぞれのしきい値と比較することにより空間多重の適否を判断する。
ステップＳ１１２の処理で多重可能と判定された場合には（ステップＳ１１４）、さらに、エラー検出部５６でのエラー検出結果に基づいて、チャネル割当てを許可するかの判定を行なう（ステップＳ１１８）。エラーチェックの結果、割当て可能と判断された場合は、通信チャネを要求した移動局に対し空間多重により通信チャネルを割当てる（ステップＳ１２２）。
一方、ステップＳ１１４において、多重不可と判定された場合には、他のタイムスロットについて処理を繰返す（ステップＳ１１６）。すべてのタイムスロットにおいて多重不可と判定された場合、または、ステップＳ１１８でのエラーチェックの結果、割当て不可と判断された場合に、通信チャネルの割当を拒否する（ステップＳ１２０）。
図５は、図４に示したステップＳ１１８のエラー判定処理を説明するためのフローチャートである。
上述したような新規接続等により、エラー判定処理判定処理が開始されると（ステップＳ２００）、新規多重を行なうためのスロット内で、既に通話中の他のユーザにおいて受信エラーが発生しているか否かのチェックが行なわれる（ステップＳ２０２）。
続いて、他のユーザにおいて瞬時エラー（ＵＷエラー、ＣＲＣエラー）が存在するかが判定され（ステップＳ２０４）、瞬時エラーが存在している場合は、チャネル割当は禁止される（ステップＳ２０８）。
一方、瞬時エラーが存在しない場合は、続いてフレームエラーレート（ＦＥＲ）の値がしきい値以下であるかの判定が行なわれる（ステップＳ２０６）。しきい値以下でない場合は、チャネル割当が禁止される（ステップＳ２０８）。このフレームエラーレートの値がしきい値は、特に限定されないが、例えば、１０％とすることができる。なぜならば、一般に、ＦＥＲが２０％となると、通話スロットの切換えを行なうことが必要であり、この半分に相当するようなＦＥＲでは、良好な通信品質を維持できているとは言えないからである。
一方、フレームエラーの値がしきい値以下である場合は、チャネル割当が許可される（ステップＳ２１０）。
以上のように、新規多重を行なうためのスロット内で既に通話中のユーザにおいて、受信エラーが発生している場合は、基地局アダプティブアレイ処理において作成するウェイトベクトルの精度が十分得られないと考えられる。したがって、このような場合には、空間多重を許可しないことにより、パス多重通信の安定度を増すことができる。その結果として、通信特性が向上し、干渉起動数が低下したり、スワップや異常切断等の通信品質の劣化を回避することができる。
なお、以上の説明においては、ステップＳ１１２の多重判定処理は、応答ベクトル、受信タイミング、電界強度に基づいて行なうこととしたが、本発明はこのよな場合に限定されることなく、他の基準に基づいて、多重判定が行なわれる場合にも適用可能である。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
図１は、本発明に係る無線基地システム１０００の構成を説明するための概略ブロック図である。
図２は、本発明において、移動端末装置とＰＤＭＡ無線基地システム１０００との間で授受される信号の構成を説明するための概念図である。
図３は、信号ＰＳ１と信号ＰＳ２の受信タイミングを示す概念図である。
図４は、リンクチャネル確立時の動作を示すフローチャートである。
図５は、図４に示したエラー判定処理を説明するためのフローチャートである。
図６は、周波数分割多重接続，時分割多重接続および空間分割多重接続の各種の通信システムにおけるチャネルの配置図である。
【図１】
2002062095.tif 000005
【図２】
2002062095.tif 000006
【図３】
2002062095.tif 000007
【図４】
2002062095.tif 000008
【図５】
2002062095.tif 000009
【図６】
2002062095.tif 000010
【国際調査報告】
2002062095.tif 000011
2002062095.tif 000012
2002062095.tif 000013
2002062095.tif 000014